(57)【要約】【課題】  画像の実寸法を認識しやすいように出力することのできる撮像装置及び画像出力装置を提供する。【解決手段】  ディスプレイ１２４にプリント倍率の入力受付画面が表示されて、タッチパネル１２２によってプリント倍率が入力される（ステップＳ４０）。次に、ディスプレイ１２４にプリント用紙のサイズの入力受付画面が表示されて、タッチパネル１２２によってプリント用紙のサイズが入力される（ステップＳ４６）。すると、入力されたサイズのプリント用紙に画像が収まるかどうかが判断され（ステップＳ４８）、画像がプリント用紙に収まらないと判断された場合には、画像のトリミングが行われて（ステップＳ５０）、プリント用の画像データが作成される（ステップＳ５２）。そして、プリント倍率を印字するかどうか選択され（ステップＳ５４）、プリントが行われる（ステップＳ５８、Ｓ６０）。【選択図】      図４
2006191314.tif 000002
【特許請求の範囲】
【請求項１】
撮像素子と、
前記撮像素子の結像面に被写体の画像を結像する光学系と、
前記被写体の実寸法を特定するための実寸法特定情報を前記画像に埋め込んで記録する記録手段と、
を備えることを特徴とする撮像装置。
【請求項２】
前記結像面と被写体との間の距離を測定する距離測定手段を更に備え、
前記実寸法特定情報は、前記距離測定手段によって測定された前記結像面と被写体との間の距離、撮像時における前記光学系の焦点距離、及び前記撮像素子の結像面のサイズ情報であることを特徴とする請求項１記載の撮像装置。
【請求項３】
前記撮像素子の結像面のサイズ情報は、前記撮像素子の画素数及び画素密度であることを特徴とする請求項２記載の撮像装置。
【請求項４】
画像の入力を受け付ける画像入力受付手段と、
前記入力された画像を出力する出力手段と、
前記入力された画像の撮像範囲の実寸法を取得する実寸法取得手段と、
前記入力された画像を出力する際の出力サイズの指定を受け付けるサイズ指定受付手段と、
前記指定された出力サイズに応じて前記画像の出力倍率を算出する出力倍率算出手段と、
前記出力手段を制御して、前記指定された出力サイズ、及び前記算出された出力倍率に基づいて前記画像、及び前記出力倍率を出力させる制御手段と、
を備えることを特徴とする画像出力装置。
【請求項５】
画像の入力を受け付ける画像入力受付手段と、
前記入力された画像を出力する出力手段と、
前記入力された画像の撮像範囲の実寸法を取得する実寸法取得手段と、
前記入力された画像を出力する際の出力倍率の指定を受け付ける出力倍率指定受付手段と、
前記指定された出力倍率で前記画像の全体を出力可能な出力サイズを算出するサイズ算出手段と、
前記出力手段を制御して、前記算出された出力サイズ、及び前記指定された出力倍率に基づいて前記画像を出力させる制御手段と、
を備えることを特徴とする画像出力装置。
【請求項６】
前記算出された出力サイズを通知する通知手段と、
前記入力された画像を出力する際の出力サイズの指定を受け付けるサイズ指定受付手段と、
前記指定された出力サイズに前記画像の全体が収まらない場合に、前記画像をトリミングするトリミング手段とを更に備え、
前記制御手段は、前記指定された出力サイズ、及び前記指定された出力倍率に基づいて前記トリミングされた画像を前記出力手段に出力させることを特徴とする請求項５記載の画像出力装置。
【請求項７】
前記出力手段は、前記画像の出力倍率を出力することを特徴とする請求項５又は６記載の画像出力装置。
【請求項８】
前記出力倍率を出力するかどうかの指示入力を受け付ける指示入力受付手段を更に備え、
前記出力手段は、前記指示入力受付手段によって受け付けられた指示入力に基づいて前記出力倍率を出力することを特徴とする請求項７記載の画像出力装置。
【請求項９】
前記実寸法取得手段は、前記画像に埋め込まれた前記画像の撮像時における撮像素子の結像面と被写体との間の距離、撮像時における前記光学系の焦点距離、及び前記撮像素子の結像面のサイズ情報に基づいて前記撮像範囲の実寸法を算出することを特徴とする請求項４から８のいずれか１項記載の画像出力装置。
【請求項１０】
前記撮像素子の結像面のサイズ情報は、前記撮像素子の画素数及び画素密度であることを特徴とする請求項９記載の画像出力装置。
【請求項１１】
前記出力手段は、前記出力サイズに対応したプリント用紙を備えたプリント装置であることを特徴とする請求項４から１０記載の画像出力装置。
【発明の詳細な説明】
【技術分野】
【０００１】
本発明は撮像装置及び画像出力装置に関する。
【背景技術】
【０００２】
従来、カメラで撮影された画像を出力する際に被写体の大きさを表現する方法が提案されている。例えば、特許文献１には、撮影時に画像を再生する際の表示画面の画面サイズ情報を入力し、この画面サイズ情報に基づいて再生画像の被写体に対する倍率を算出して電子ビューファインダ等に表示し、ズーム操作により再生画像の被写体に対する倍率を変えるビデオ系カメラについて開示されている。特許文献１によれば、画像を見る人は画像の再生時に被写体の大きさ（実寸法）を容易に認識できる。
【０００３】
また、特許文献２には、撮影情報（画像）を可視化（プリント）する際の被写体の倍率（要求倍率）を指定し、この要求倍率と、被写体距離と、撮影レンズの焦点距離とに基づいて画像をプリントする際の引き伸ばし倍率を計算し、この引き伸ばし倍率と画像とを記録するカメラについて提案されている。特許文献２によれば、可視化装置（プリンタ）でこの引き伸ばし倍率を検出することにより、画像を所望の倍率でプリントできる。
【特許文献１】特許３０５４４６１号公報
【特許文献２】特許２９１３６４６号公報
【発明の開示】
【発明が解決しようとする課題】
【０００４】
しかしながら、上記の特許文献１に開示されたビデオ系カメラは、撮影時にズーミング操作を行って再生時の倍率を設定するものであり、再生時の倍率を任意に調整するのが困難であった。また、特許文献２に開示されたカメラは、画像をプリントする際の要求倍率をあらかじめ指定するため、プリント時に用紙サイズ等に合わせて倍率を任意に変更するのが困難であった。
【０００５】
本発明はこのような事情に鑑みてなされたもので、画像の実寸法を認識しやすいように出力することのできる撮像装置及び画像出力装置を提供することを目的とする。
【課題を解決するための手段】
【０００６】
上記目的を達成するために請求項１に係る撮像装置は、撮像素子と、前記撮像素子の結像面に被写体の画像を結像する光学系と、前記被写体の実寸法を特定するための実寸法特定情報を前記画像に埋め込んで記録する記録手段とを備えることを特徴とする。
【０００７】
請求項１に係る撮像装置によれば、画像を出力（プリント又は表示）する際に、撮像面と被写体との間の距離、撮像時における前記光学系の焦点距離、及び前記撮像素子のサイズ情報を用いて、被写体の実寸法を認識しやすいように出力できる。
【０００８】
請求項２に係る撮像装置は、請求項１において、前記結像面と被写体との間の距離を測定する距離測定手段を更に備え、前記実寸法特定情報は、前記距離測定手段によって測定された前記結像面と被写体との間の距離、撮像時における前記光学系の焦点距離、及び前記撮像素子の結像面のサイズ情報であることを特徴とする。請求項２は、請求項１の実寸法特定情報を限定したものである。
【０００９】
請求項３に係る撮像装置は、請求項２において、前記撮像素子の結像面のサイズ情報は、前記撮像素子の画素数及び画素密度であることを特徴とする。請求項３は、請求項２の撮像素子の結像面のサイズ情報を限定したものである。
【００１０】
請求項４に係る画像出力装置は、画像の入力を受け付ける画像入力受付手段と、前記入力された画像を出力する出力手段と、前記入力された画像の撮像範囲の実寸法を取得する実寸法取得手段と、前記入力された画像を出力する際の出力サイズの指定を受け付けるサイズ指定受付手段と、前記指定された出力サイズに応じて前記画像の出力倍率を算出する出力倍率算出手段と、前記出力手段を制御して、前記指定された出力サイズ、及び前記算出された出力倍率に基づいて前記画像、及び前記出力倍率を出力させる制御手段とを備えることを特徴とする。
【００１１】
請求項４に係る画像出力装置によれば、撮像範囲の実寸法と、出力サイズ（プリント用紙のサイズや表示画面のサイズ）に基づいて出力倍率が算出されるため、自動的に適切な出力が得られる。また、撮像範囲の実寸法に対する出力倍率が画像とともに出力されるため、ユーザは撮像範囲中の被写体の大きさを容易に認識できる。
【００１２】
請求項５に係る画像出力装置は、画像の入力を受け付ける画像入力受付手段と、前記入力された画像を出力する出力手段と、前記入力された画像の撮像範囲の実寸法を取得する実寸法取得手段と、前記入力された画像を出力する際の出力倍率の指定を受け付ける出力倍率指定受付手段と、前記指定された出力倍率で前記画像の全体を出力可能な出力サイズを算出するサイズ算出手段と、前記出力手段を制御して、前記算出された出力サイズ、及び前記指定された出力倍率に基づいて前記画像を出力させる制御手段とを備えることを特徴とする。
【００１３】
請求項５に係る画像出力装置によれば、撮像範囲の実寸法に対する出力倍率を指定できるため、出力から撮像範囲の実寸法が容易に認識できる。
【００１４】
請求項６に係る画像出力装置は、請求項５において、前記算出された出力サイズを通知する通知手段と、前記入力された画像を出力する際の出力サイズの指定を受け付けるサイズ指定受付手段と、前記指定された出力サイズに前記画像の全体が収まらない場合に、前記画像をトリミングするトリミング手段とを更に備え、前記制御手段は、前記指定された出力サイズ、及び前記指定された出力倍率に基づいて前記トリミングされた画像を前記出力手段に出力させることを特徴とする。
【００１５】
請求項６に係る画像出力装置によれば、画像が指定した出力サイズの中に収まらない場合に、画像のトリミングを行えるため、撮像範囲中において主要な被写体（例えば、サイズを知りたい事物等）を適切な構図で出力できる。
【００１６】
請求項７に係る画像出力装置は、請求項５又は６において、前記出力手段は、前記画像の出力倍率を出力することを特徴とする。
【００１７】
請求項７に係る画像出力装置によれば、画像とともに画像の出力倍率が出力されるため、ユーザは撮像範囲の実寸法をより容易に認識できる。
【００１８】
請求項８に係る画像出力装置は、請求項７において、前記出力倍率を出力するかどうかの指示入力を受け付ける指示入力受付手段を更に備え、前記出力手段は、前記指示入力受付手段によって受け付けられた指示入力に基づいて前記出力倍率を出力することを特徴とする。
【００１９】
請求項８に係る画像出力装置によれば、請求項７において、出力倍率の出力の有無を選択できる。
【００２０】
請求項９に係る画像出力装置は、請求項４から８において、前記実寸法取得手段は、前記画像に埋め込まれた前記画像の撮像時における撮像素子の結像面と被写体との間の距離、撮像時における前記光学系の焦点距離、及び前記撮像素子の結像面のサイズ情報に基づいて前記撮像範囲の実寸法を算出することを特徴とする。請求項９は、撮像範囲の実寸法取得手段による実寸法の取得方法について限定したものである。
【００２１】
請求項１０に係る画像出力装置は、請求項９において、前記撮像素子の結像面のサイズ情報は、前記撮像素子の画素数及び画素密度であることを特徴とする。請求項１０は、請求項９の撮像素子の結像面のサイズ情報を限定したものである。
【００２２】
請求項１１に係る画像出力装置は、請求項４から１０において、前記出力手段は、前記出力サイズに対応したプリント用紙を備えたプリント装置であることを特徴とする。請求項１１は、請求項４から１０の画像出力装置をプリント装置に限定したものである。
【発明の効果】
【００２３】
本発明によれば、ユーザが撮像範囲（被写体）の実寸法を容易に認識可能な画像の出力を得られる。本発明は、資料写真やプレゼンテーション用の写真のプリント等の被写体のサイズを明示したい場合に適している。
【発明を実施するための最良の形態】
【００２４】
以下、添付図面に従って本発明に係る撮像装置及び画像出力装置の好ましい実施の形態について説明する。
【００２５】
図１は、本発明の一実施形態に係る撮像装置の内部構成を示すブロック図である。同図に示す撮像装置１０は、被写体の静止画像または動画像を電子的に撮像するデジタルカメラであり、ＣＰＵ１２は、撮像装置１０内の各ブロックを制御する統括制御部である。なお、図中の符号１４はデータバスである。
【００２６】
撮像装置１０は、撮像部（撮像手段）として、撮影レンズ及び絞り等を含む光学系１６と、撮像素子（ＣＣＤ）１８とを備える。光学系１６には、アイリスモータドライバ２０と、ＡＦモータドライバ２２と、ズームカム２４と、ＡＦセンサ２６とが接続されている。
【００２７】
アイリスモータドライバ２０は、この光学系１６内に設けられた絞りを変位させるアイリス用モータを駆動する。
【００２８】
ＡＦモータドライバ２２は、フォーカシングレンズを変位させるオートフォーカス（ＡＦ）用モータを駆動する。このフォーカシングレンズの位置情報はフォーカスエンコーダ３０によってエンコードされてＣＰＵ１２に送信される。
【００２９】
ズームカム２４は、ズームモータ２８によって駆動されてズームレンズを変位させる。このズームレンズの位置情報はズームエンコーダ３２によってエンコードされてＣＰＵ１２に送信される。
【００３０】
ＡＦセンサ２６は、光学系１６を介して入射した画像の位相差によって被写体までの距離を測定する。ＣＰＵ１２は、このＡＦセンサ２６からの信号を受信して被写体までの距離情報を得る。そして、ＣＰＵ１２は、この距離情報に基づいてＡＦモータドライバ２２を駆動してフォーカシングレンズが合焦位置になるように制御する。なお、ＡＦセンサ２６としては、被写体に対して赤外線を投射し、被写体から反射されてくる赤外線を受信することにより被写体までの距離を測定するものを用いてもよい。
【００３１】
ＣＣＤ１２の出力側には、ＣＤＳアナログデコーダ３４、ホワイトバランスアンプ３６、γ補正回路３８、点順次化回路４０、Ａ／Ｄコンバータ４２が設けられ、ＣＣＤ１８による撮像信号の各種処理がなされてデジタルの画像信号が出力されるようになっている。また、ホワイトバランスアンプ３６には、電子ボリューム（ＥＶＲ）４４が接続され、このホワイトバランスアンプ３６の利得が制御されるようになっている。Ａ／Ｄコンバータ４２の出力はメモリコントローラ４６を介してメインメモリ４８に伝送され、撮像された被写体の画像データはメインメモリ４８に記憶される。
【００３２】
また、ＣＰＵ１２には操作部５０が接続されている。操作部５０は、電源ボタン、レリーズスイッチ、ズームスイッチ、撮影モード選択ダイヤル、撮影／再生モード選択スイッチ、バックスイッチ、メニュー／ＯＫスイッチ、マルチファンクションの十字キー等の操作部材を含んでいる。
【００３３】
また、データバス１４には、圧縮伸長部５２、ＭＰＥＧエンコーダ＆デコーダ５４、ＹＣ信号作成部５６、外部メモリインターフェイス（外部メモリＩ／Ｆ）５８、外部機器接続インターフェイス（外部機器接続Ｉ／Ｆ）６０、モニタ（ＬＣＤ）ドライバ６２、オーディオ入出力回路６４が接続されている。
【００３４】
圧縮伸長部５２は、ＪＰＥＧ方式等による画像データの圧縮処理及び伸長処理を行うものである。ＭＰＥＧエンコーダ＆デコーダ５４は、ＭＰＥＧ方式の動画像データへの符号化及びＭＰＥＧ圧縮符号化された動画像データの復号化を行うものである。ＹＣ信号作成部５６は、ＮＴＳＣ方式の映像信号を生成するための輝度信号Ｙと色差信号Ｒ−Ｙ，Ｂ−Ｙとを分離生成するものである。ＹＣ信号作成部５６の後段には、輝度信号Ｙと色差信号Ｒ−Ｙ，Ｂ−Ｙの比を４：４：４から４：２：２に変換する色変換部６６と、ＮＴＳＣ方式の映像信号を生成出力するＮＴＳＣエンコーダ６８とが設けられている。
【００３５】
尚、上記の圧縮伸長部５２、ＭＰＥＧエンコーダ＆デコーダ５４、ＹＣ信号作成部５６、色変換部６６、ＮＴＳＣエンコーダ６８は、専用の信号処理回路で構成してもよいし、ＣＰＵ１２においてソフトウェアの処理により行うものやＤＳＰ等の信号処理回路において機能を持たせたものなどで構成することも可能である。
【００３６】
モニタ（ＬＣＤ）ドライバ６２には液晶モニタ（ＬＣＤ）７０が接続され、撮影しようとしている被写体のスルー動画や撮影後の記録画像、及び各種状態表示や設定画面などがＬＣＤ７０の画面上に表示されるようになっている。前記オーディオ入出力回路６４にはスピーカ７２、及びマイク７４が接続され、撮影時などにおける各種動作音が再生出力されるとともに、動画撮影時の音声信号が入力される。
【００３７】
このように構成された撮像装置１０において、被写体の像は光学系１６によってＣＣＤ１８の撮像面上に結像されて光電変換される。ＣＣＤ１８から出力される撮像信号は、ＣＤＳアナログデコーダ３４によって相関２重サンプリングが行われてノイズ成分がキャンセルされた後、ホワイトバランスアンプ３６でカラー画像信号のホワイトレベルが調整される。そして、γ補正回路３８でγ補正が行われ、点順次化回路４０を経てＡ／Ｄコンバータ４２によってＡ／Ｄ変換されてデジタルの画像データとして出力される。このデジタル画像データは、メモリコントローラ４６を介してメインメモリ４８に格納される。
【００３８】
前記デジタル画像データは、撮影中の被写体画像としてＬＣＤ７０の画面上に表示される。撮影者はこの被写体画像を見ながら、操作部５０のレリーズスイッチを押圧してオンすることによって、被写体の静止画像または動画像を撮影する。なお、レリーズスイッチは２段階式に構成され、レリーズスイッチを軽く押して止める「半押し（Ｓ１＝ＯＮ）」の状態で自動ピント合わせ（ＡＦ）及び自動露出制御（ＡＥ）が作動してＡＦとＡＥをロックし、「半押し」から更に押し込む「全押し（Ｓ２＝ＯＮ）」の状態で撮影が実行される。撮影後の画像データは、圧縮伸長部５２で圧縮処理されて、ＭＰＥＧエンコーダ＆デコーダ５４でＭＰＥＧ圧縮符号化される。こうして処理されたデジタル画像データは、外部メモリＩ／Ｆ５８を介して外部の記録メディア７６、あるいは外部機器接続Ｉ／Ｆ６０を介してパソコン等の外部機器７８に送られて記録される。また、撮影した画像データは、ＹＣ信号作成部５６、色変換部６６、ＮＴＳＣエンコーダ６８を経てＮＴＳＣ映像信号に変換されてビデオ出力される。
【００３９】
図２は、撮像装置による撮像動作を示すフローチャートである。まず、レリーズスイッチが半押しされる（Ｓ１＝ＯＮ）と（ステップＳ１０）、ＡＦ制御が行われるとともに（ステップＳ１２）、ＡＦセンサ２６によって撮像素子（ＣＣＤ）１８の撮像面と被写体との間の距離（Ｌ）が測定される（ステップＳ１４）。また、図示せぬ測光センサによって測光が行われ（ステップＳ１６）、シャッタスピード及びアイリスの設定（ＡＥ制御）が行われる（ステップＳ１８）。
【００４０】
次に、レリーズスイッチが全押しされる（Ｓ２＝ＯＮ）と（ステップＳ２０）、ＣＰＵ１２によって光学系１６のレンズの焦点距離（ｆ）が取得される（ステップＳ２２）。そして、画像の撮像が行われて（ステップＳ２４）、画像データが作成され（ステップＳ２６）、この画像データが記録メディア７６に保存される（ステップＳ２８）。ステップＳ２６においては、撮像素子（ＣＣＤ）１８の撮像面のサイズ（Ｘｐ［ピクセル］，Ｙｐ［ピクセル］）、ＣＣＤ１８の画素密度（Ｘｃ［ピクセル／ｍｍ］，Ｙｃ［ピクセル／ｍｍ］）、ＣＣＤ１８の撮像面と被写体との間の距離（Ｌ［ｍｍ］）、及び光学系１６のレンズの焦点距離（ｆ［ｍｍ］）等の画像情報が画像データの中に例えば、EXIFタグ情報として埋め込まれる。なお、画像データに埋め込まれる画像情報の単位については上記の例に限定されるものではない。
【００４１】
次に、画像出力装置について説明する。図３は、本発明の一実施形態に係る画像出力装置の内部構成を示すブロック図である。同図に示す画像出力装置（以下では、プリント装置という）１００は、ＤＰＥ店や家電量販店等の店頭などに設置され、一般ユーザによって利用されるもので、特に、上記の撮像装置１０により撮像された画像を印画するのに適したものである。
【００４２】
プリント装置１００内のＣＰＵ１０２は、バス１０４を介してメモリコントローラ１０６、記録メディア・リーダ／ライタ１０８、プリンタ１１０、演算部１１２、トリミング部１１４、ＲＡＷ現像エンジン１１６、及びＲＧＢ／ＹＭＣ（Ｋ）変換回路１１８と接続されている。なお、図中の符号１２０は、上記撮像装置１０と接続されデータの通信を行うための通信インターフェイス（通信Ｉ／Ｆ）である。
【００４３】
また、ＣＰＵ１０２には、タッチパネル１２２と、ディスプレイ１２４を駆動するためのディスプレイドライバ１２６と、課金装置１２８とが接続されている。
【００４４】
各種のデジタルカメラの記録メディア７６に記録された画像データは、記録メディア・リーダ／ライタ１０８によって読み取られ、メモリコントローラ１０６を介して作業用メモリ１３０に一時記憶される。
【００４５】
タッチパネル１２２は、ディスプレイ１２４上に配置され、ディスプレイ１２４に表示された画像から印画する画像をタッチして選択したり、印画枚数やプリント用紙のサイズ、プリント倍率等の指定等を行うための入力手段として機能する。課金装置１２８は、タッチパネル１２２によって指定された印画枚数等に応じて、例えばコインマシンによる現金の徴収、及び釣り銭処理を行う。
【００４６】
演算部１１２は後述する各種の演算を行うためのブロックであり、トリミング部１１４は必要に応じて印画する画像のトリミングを行うブロックである。
【００４７】
ＲＡＷ現像エンジン１１６は、記録メディアから読み取った画像データがＲＡＷデータ（ＣＣＤ等の撮像素子から出力された未処理の画像データ）の場合に、そのＲＡＷデータに対してリニアマトリクス処理、ホワイトバランス処理、同時化処理等を行ってディスプレイ１２４等に出力できるデータを生成する。
【００４８】
ＲＧＢ／ＹＭＣ（Ｋ）変換回路１１８は、各種の画像処理が施されたＲ、Ｇ、ＢデータをＹ、Ｍ、Ｃ、（Ｋ）（イエロー、マゼンタ、シアン、（ブラック））データに変換し、この変換したＹ、Ｍ、Ｃ、（Ｋ）データをプリンタ１１０に出力する。
【００４９】
プリンタ１１０としては、例えば、印画方式としてＴＡ（サーモオートクローム）方式を採用したものを用いることができる。ＴＡ方式のプリンタは、Ｃ、Ｍ、Ｙの各発色層を有するカラー印画紙（以下、「ＴＡペーパー」という）自体を熱で発色させ、所定の波長の光の照射で定着するものであり、ＴＡペーパーを搬送する手段、サーマルヘッド、定着ランプ等を有している。カラー画像をＴＡペーパーに印画する場合には、まずＴＡペーパーを搬送するとともにＹデータによってサーマルヘッドを制御し、ＴＡペーパーのイエロー層を発色させ、続いて定着ランプによってイエローの発色を定着させる。ＴＡペーパーのマゼンタ層及びシアン層の発色もＭデータ、Ｃデータに基づいて同様に行われ、これによりＴＡペーパーにカラー画像を印画する。尚、この実施の形態のプリンタ１１０は、ＴＡプリンタであるが、これに限らず、本発明は他の感熱プリンタやインクジェットプリンタ等の他の形式のプリンタにも適用できる。
【００５０】
次に、上記構成のプリント装置１００による印画動作について、図４のフローチャートを参照して説明する。図４は、本実施形態のプリント装置による印画動作を示すフローチャートである。
【００５１】
まず、プリント装置１００の記録メディア・リーダ／ライタ１０８に挿入された記録メディア７６、又は通信Ｉ／Ｆ１２０に接続された撮像装置１０から画像データが入力されて、タッチパネル１２２によって印画する画像が選択される（ステップＳ３０）。すると、ステップＳ３０において選択された画像データから撮像素子ＣＣＤ１８の撮像面サイズ（Ｘｐ［ピクセル］，Ｙｐ［ピクセル］）、ＣＣＤ１８の画素密度（Ｘｃ［ピクセル／ｍｍ］，Ｙｃ［ピクセル／ｍｍ］）、ＣＣＤ１８の撮像面と被写体との間の距離（Ｌ［ｍｍ］）、及び光学系１６のレンズの焦点距離（ｆ［ｍｍ］）等の画像情報が取得される（ステップＳ３２）。
【００５２】
次に、演算部１１２によってＣＣＤ１８の対角線長ｄ［ｍｍ］が算出される（ステップＳ３４）。ここで、ＣＣＤ１８の対角線長ｄ［ｍｍ］の算出方法について説明する。図５は、撮像素子を示す平面図である。図５に示すように、ＣＣＤ１８の横（Ｘ）方向の長さｗ［ｍｍ］、縦（Ｙ）方向の長さｈ［ｍｍ］は、それぞれ下記の式（１）及び（２）で表される。
【００５３】
ｗ＝Ｘｐ／Ｘｃ                    ・・・（１）
ｈ＝Ｙｐ／Ｙｃ                    ・・・（２）
したがって、対角線長ｄ［ｍｍ］は下記の式（３）により算出される。
【００５４】
ｄ＝（ｗ２＋ｈ２）１／２              ・・・（３）
なお、画像データのEXIFタグ情報が、ＣＣＤ１８の横（Ｘ）方向の長さｗ［ｍｍ］及び縦（Ｙ）方向の長さｈ［ｍｍ］や、対角線長ｄ［ｍｍ］をあらかじめ含んでいてもよい。この場合、上記の計算工程は省略できる。
【００５５】
図４のフローチャートの説明に戻ると、次いでステップＳ３６に進み、対角線画角（θ［ｒａｄ］）が算出されて、撮像範囲の対角線長（対角線撮影長Ｄ［ｍｍ］）が算出される（ステップＳ３８）。図６は、撮影時における撮像素子と撮像範囲との位置関係を模式的に示す図である。図６よりｔａｎ（θ／２）＝（ｄ／２ｆ）であるから、対角線画角θ［ｒａｄ］は下記の式（４）で表される。
【００５６】
θ＝２・ａｒｃｔａｎ（ｄ／２ｆ）  ・・・（４）
なお、θを度数［ｄｅｇ］で表すと、θ＝（１８０／π）×２・ａｒｃｔａｎ（ｄ／２ｆ）となる。
また、対角線撮影長Ｄ［ｍｍ］は下記の式（５）により算出される。
【００５７】
Ｄ＝２Ｌ・ｔａｎ（θ／２）        ・・・（５）
こうして求められた撮像範囲１４０の対角線長と、ＣＣＤ１８の縦横の比から撮像装置１０により撮像された撮像範囲１４０の縦横の長さ（実寸法）が算出される。なお、撮影倍率は下記の式（６）で表される。
【００５８】
（撮影倍率）＝ｆ／Ｌ
＝ｄ／（２Ｌ・ｔａｎ（θ／２））
＝ｄ／Ｄ              ・・・（６）
なお、対角線撮影長Ｄ［ｍｍ］は、撮像装置１０によって算出されて、画像データに埋めこまれるようにしてもよい。
【００５９】
再び、図４のフローチャートの説明に戻ると、次いでステップＳ４０に進み、ディスプレイ１２４にプリント倍率の入力受付画面が表示されて、タッチパネル１２２によってプリント倍率が入力される。ここで、プリント倍率とは、撮像範囲の実寸法に対する倍率である。次に、演算部１１２によって画像全体を印画するために必要なプリント用紙のサイズが求められてディスプレイ１２４に表示されてユーザに通知される（ステップＳ４２）。
【００６０】
次に、ディスプレイ１２４にプリント倍率の確認画面が表示される（ステップＳ４４）。ステップＳ４４において表示されたプリント倍率で画像の印画を行う旨入力された場合には、ディスプレイ１２４にプリント用紙のサイズの入力受付画面が表示されて、タッチパネル１２２によってプリント用紙のサイズが入力される（ステップＳ４６）。すると、入力されたサイズのプリント用紙に画像が収まるかどうかが判断される（ステップＳ４８）。ステップＳ４８において画像がプリント用紙に収まると判断された場合にはステップＳ５２に進む。一方、ステップＳ４８において画像がプリント用紙に収まらないと判断された場合には、画像のトリミングが行われる（ステップＳ５０）。ステップＳ５０においては、タッチパネル１２２により印画する範囲（例えば、対角の２点）の指定を受け付けることによりトリミングが行われる。そして、プリンタ１１０の画素密度（Ｘｄ［ドット／ｍｍ］，Ｙｄ［ドット／ｍｍ］）等に基づいて、プリント用の画像データが作成される（ステップＳ５２）。
【００６１】
その次に、画像がプリントされるプリント用紙にプリント倍率を印字するかどうかを選択するための画面がディスプレイ１２４に表示される（ステップＳ５４）。ステップＳ５４においてプリント倍率を印字する場合には、プリント倍率が印字されて（ステップＳ５８）、画像が印画される（ステップＳ６０）。一方、プリント倍率を印字しない場合には、そのまま画像が印画される（ステップＳ６０）。
【００６２】
図７は撮像範囲の例を示す平面図であり、図８は印画された画像の例を示す平面図である。図８に示すプリント画像１４２は、図７の撮像範囲１４０の一部１４０ａをトリミングして縮尺２分の１でプリントしたものである。
【００６３】
本実施形態によれば、撮像範囲１４０の実寸法に応じてプリント倍率を設定できるため、ユーザはプリント画像から撮像範囲１４０や撮像範囲１４０内の被写体のサイズを容易に認識できる。
【００６４】
なお、本実施形態においては、プリント装置１００に適当な大きさの参照物の画像を記録しておき、これをユーザによるタッチパネル操作により選択し、被写体と同じ縮尺で画像と合成してプリントできるようにしてもよい。図９は、参照物が合成されたプリント画像の例を示す平面図である。図９（ａ）に示すプリント画像１４２には、その右下部分にタバコの箱の画像１４４が合成されている。また、図９（ｂ）に示すプリント画像１４２には、下部に身長１７０ｃｍの人物像（シルエット）１４６が合成されている。上記のように、ユーザがその大きさを直観的に認識しやすい参照物の画像を被写体と同じ縮尺ですることで、ユーザは参照物の画像との比較に基づいて撮像範囲１４０、及び撮像範囲１４０内の被写体のサイズを容易に認識できる。
【００６５】
なお、プリント画像１４２に合成される参照物やその配置は、図９の例に限定されるものではない。また、参照物としては、他の画像データに写っている人物や物等をタッチパネル操作によりトリミングして合成できるようにしてもよい。
【００６６】
次に、上記構成のプリント装置１００による印画動作の別の実施例について、図１０のフローチャートを参照して説明する。図１０は、本実施形態のプリント装置による印画動作の別の実施例を示すフローチャートである。本実施例においては、ユーザによって指定されたプリント用紙のサイズに基づいてプリント倍率が自動的に設定される。なお、図１０のステップＳ７０〜Ｓ７８は、それぞれ図４のステップＳ３０〜Ｓ３８と同様であるため説明を省略する。
【００６７】
図１０において、ステップＳ７８の次にステップＳ８０に進み、ディスプレイ１２４にプリント用紙のサイズの入力受付画面が表示されて、タッチパネル１２２によってプリント用紙のサイズが入力される。次に、プリンタ１１０の画素密度（Ｘｄ［ドット／ｍｍ］，Ｙｄ［ドット／ｍｍ］）等に基づいて、プリント用の画像データが作成されるとともに（ステップＳ８２）、ステップＳ８０において入力されたサイズのプリント用紙に画像全体が収まるようにプリント倍率が算出される（ステップＳ８４）。
【００６８】
その次に、画像がプリントされるプリント用紙にプリント倍率を印字するかどうかを選択するための画面がディスプレイ１２４に表示される（ステップＳ８６）。ステップＳ８６においてプリント倍率を印字する場合には、プリント倍率が印字されて（ステップＳ８８）、画像が印画される（ステップＳ９０）。一方、プリント倍率を印字しない場合には、そのまま画像が印画される（ステップＳ９０）。
【００６９】
本実施例においては、上記した作用に加え、プリント倍率の指定やトリミングの入力の工程が簡略化されている。
【００７０】
なお、上記の実施形態においては、画像出力装置は画像をプリント出力するプリント装置１００であるが、例えば、モニタやスクリーンに出力する表示装置等にも本発明を適用できる。この場合、上述の実施形態におけるプリント用紙のサイズはモニタやスクリーン等のサイズと読み替えるものとする。
【図面の簡単な説明】
【００７１】
【図１】本発明の一実施形態に係る撮像装置の内部構成を示すブロック図
【図２】撮像装置による撮像動作を示すフローチャート
【図３】本発明の一実施形態に係る画像出力装置の内部構成を示すブロック図
【図４】本実施形態のプリント装置による印画動作を示すフローチャート
【図５】撮像素子を示す平面図
【図６】撮影時における撮像素子と撮像範囲との位置関係を模式的に示す図
【図７】撮像範囲の例を示す平面図
【図８】印画された画像の例を示す平面図
【図９】参照物が合成されたプリント画像の例を示す平面図
【図１０】本実施形態のプリント装置による印画動作の別の実施例を示すフローチャート
【符号の説明】
【００７２】
１０…撮像装置、１２…ＣＰＵ、１４…データバス、１６…光学系、１８…撮像素子（ＣＣＤ）、２０…アイリスモータドライバ、２２…ＡＦモータドライバ、２４…ズームカム、２６…ＡＦセンサ、２８…ズームモータ、３０…フォーカスエンコーダ、３２…ズームエンコーダ、３４…ＣＤＳアナログデコーダ、３６…ホワイトバランスアンプ、３８…γ補正回路、４０…点順次化回路、４２…Ａ／Ｄコンバータ、４４…電子ボリューム（ＥＶＲ）、４６…メモリコントローラ、４８…メインメモリ、５０…操作部、５２…圧縮伸長部、５４…ＭＰＥＧエンコーダ＆デコーダ、５６…ＹＣ信号作成部、５８…外部メモリインターフェイス（外部メモリＩ／Ｆ）、６０…外部機器接続インターフェイス（外部機器接続Ｉ／Ｆ）、６２…モニタ（ＬＣＤ）ドライバ、６４…オーディオ入出力回路、６６…色変換部、６８…ＮＴＳＣエンコーダ、７０…液晶モニタ（ＬＣＤ）、７２…スピーカ、７４…マイク、７６…記録メディア、７８…外部機器、１００…画像出力装置（プリント装置）、１０２…ＣＰＵ、１０４…バス、１０６…メモリコントローラ、１０８…記録メディア・リーダ／ライタ、１１０…プリンタ、１１２…演算部、１１４…トリミング部、１１６…ＲＡＷ現像エンジン、１１８…ＲＧＢ／ＹＭＣ（Ｋ）変換回路、１２０…通信インターフェイス（通信Ｉ／Ｆ）、１２２…タッチパネル、１２４…ディスプレイ、１２６…ディスプレイドライバ、１２８…課金装置、１３０…作業用メモリ、１４０…撮像範囲、１４２…プリント画像、１４４…タバコの箱の画像、１４６…身長１７０ｃｍの人物像（シルエット）
【図１】
2006191314.tif 000003
【図２】
2006191314.tif 000004
【図３】
2006191314.tif 000005
【図４】
2006191314.tif 000006
【図５】
2006191314.tif 000007
【図６】
2006191314.tif 000008
【図７】
2006191314.tif 000009
【図８】
2006191314.tif 000010
【図９】
2006191314.tif 000011
【図１０】
2006191314.tif 000012